(57)【要約】      （修正有）【課題】水平方向の接地電圧波及値を計算する。【解決手段】接地電圧を測定する回路、即ち、電圧降下法又は異周波測定装置を使用した測定で測定した接地極の測定電圧をＶ、波及電圧を受ける接地体を電流通電極とし、その電圧検出極から測定した電圧をＶ’とし、その電圧波及率をα＝（Ｖ−Ｖ’）／Ｖとする。又、接地極の測定電圧Ｖ、波及電圧を受ける接地極と電圧検出電極との電圧Ｖ”から（Ｖ”／Ｖ）×１００％＝αとして計算する。【選択図】  図１
2005024474.tif 000002
【特許請求の範囲】
【請求項１】
対数グラフの縦軸に、接地電極から発生する接地電圧と、波及電圧の比を波及電圧率とするα、横軸に接地電圧発生電極と波及電圧を受ける電圧極とのαに反比例する間隔［ｍ］、又は、同じく反比例する接地極の等価半径ｒの倍数［Ｎ］をとり、地表接地系土地中接地系や他接地系との相互関係を、実測値から算出し
た
【α】と［ｍ］及び［Ｎ］を図示できるグラフ。
【請求項２】
図３の回路で測定したち電圧をＶとし、図４の回路で測定した電圧をＶとして、（（Ｖ−Ｖ’）／Ｖ）×１００％＝α１、又図５の様に測定した電圧をＶ”とし、（Ｖ”／Ｖ）×１００％＝α２とすると、理論的には１／α１＝１／α２＝１／α＝［Ｎ］となり、［Ｎ］は接地系Ａ、又は、Ｂの等価半径ｒの倍数Ｎとなし計算する方法。
【請求項３】
請求項３は、図３の地表接地系ＢをＡの様にその接地電圧を電圧降下法、又は、異周波を電源とした接地抵抗測定装置を使用した測定値をＶ、次いで波及地点の深理設絶縁独立接地Ａ点をＢに置き換えＰ点にした測定値をＶ’、又、Ｐ１点をＢに移動した測定値をＶ”とし、α、α１、α２は数％であり、その要求が高精度なのでその対応に答える測定方法と計算法。
【請求項４】
請求項３の接地抵抗値から（（Ｖ−Ｖ’）／Ｖ）×１００％＝α１、（Ｖ”／Ｖ）×１００％＝α２とすると理論的には１／α１＝１／α２＝１／α＝［Ｎ］となる［Ｎ］は接地系Ａの等価半径ｒの倍数として計算する方法。
【請求項５】
深埋設絶縁独立接地Ｄの接地抵抗ＲＤを四端子Ｃ１、Ｐ１、Ｐ２、Ｃ２を有する測定器を使用し測定値測定値をＲ、次いで、波及地点の地表接地系Ｄ点をＰにした測定値をＲ’、又、Ｐ１点をＢに移動した測定値をＲ”として測定する方法。
【請求項６】
請求項５の接地抵抗値から（（Ｖ−Ｖ’）／Ｖ）×１００％＝α１、（Ｖ”／Ｖ）×１００％＝α２とし接地系Ａの等価半径ｒの倍数［Ｎ］として計算する方法。
【請求項７】
地表接地系Ｂ又は他の接地系Ａの接地抵抗を、測定接地極と電流通電極間に通電し、その電圧極測定値をＶ、次いで波及地点の深理設絶縁独立接地Ａ、又はＢ点をＰにした測定値をＶ’として測定し、Ｖ１／Ｖを夫々電流値をＩを１に表現し１で除すと接地抵抗Ｒになり、Ｒ１／Ｒ＝αを近似的に電圧波及率として計算される近似測定計算法。
【請求項８】
請求項２、３、４、５の接地電圧値からＶ’／α１＝Ｖ、Ｖ”／α２＝Ｖする接地電圧Ｖを計算する方法。
【請求項９】
請求項１のグラフから地表電圧が地中に波及する波及率を、各地域での測定値をプロットして求める方法。
【請求項１０】
請求項１のグラフから、地表電圧が地中に波及する波及率を、接地抵抗を計算する計算式から、接地極の等価半径ｒ’をｒ’＝ｒ×（１＋ｒ／２ｔ）、ｒ’＝（Ｌ／（ｌｎ（４Ｌ／ｄ）−１））／２、及びｒ’＝Ｌ／（（（ｌｎ（４Ｌ／ｄ）−１）＋ｔ／ｌ×（ｌｎ（４ｔ（ｔ＋ｌ）／（２ｔ＋ｌ）２））＋（ｌｎ（２（ｔ＋ｌ）／（２ｔ＋ｌ）））／２）に示す計算式から求め、その等価半径ｒ’とグラフによってα、ｍ、Ｎを求める計算方法とグラフから求める方法。
【発明の詳細な説明】
【０００１】
【発明の属する技術分野】
本発明は、接地電極から発生する接地電圧が、他の接地系に波及する波及率と、波及範囲を実測値から求め、計算する計算法とその表示対数グラフに関する。
【０００２】
【従来の技術】
従来、接地電圧が他の接地系に波及する接地電津波及率と、波及範囲を実測値から求めて計算する計算方法と工事竣工後における検証の測定方法は無かった。
【発明が解決しようとする課題】
近年、接地電圧が他の接地系に波及する、接地電圧の波及率と波及範囲を計算する対策と、工事竣工後の測定方法が必要とされる様になってきた。
【０００４】
【課題を解決するための手段】
上記課題を解決するため、本発明は実測を元にし、電気的な理論を組み合わせして解決する事を特徴とする。
本出願に使用する地表近く設置された接地極の等価半径ｒは次のように計算する。
地表に存在する接地体地表接地極の等価半径ｒは次のように計算する。
ｒ＝Ｌ／（ｌｎ（４Ｌ／ｄ）−１）
地中に存在する接地極の等価半径ｒ’は次のように計算する。
ｒ’＝ｒ×（１＋ｒ／２ｔ）
又は                  ｒ’＝（Ｌ／（ｌｎ（４Ｌ／ｄ）−１））／２
ｒ’＝Ｌ／（（（ｌｎ（４Ｌ／ｄ）−１）＋ｔ／ｌ×（ｌｎ（４ｔ（ｔ＋ｌ）／（２ｔ＋ｌ）２））＋（ｌｎ（２（ｔ＋ｌ）／（２ｔ＋ｌ）））／２）
【０００５】
以下、図に沿って本発明の実施形態を説明する。
請求項１のグラフの元になる実測値は、図−１の様に大地１に接地電極の等価半径ｄが０．０３５ｍ理設深さが２１．５ｍの接地電極２を埋設、２から３００ｍ離隔して電流通電極を設け、電源４から供給した電流により発生その接地電圧を電圧計５で検出した。
接地極２に発生する電圧を、図のようにＰ１、Ｐ２、Ｐ９、ＰＮの様に１ｍ増間隔毎に低減する電圧を測定した。
図−２のグラフは低減線６の実測値を示し、横軸の数ａの２〜６迄は１／ａ１／３の平行線に、その先端からは１／ａにとった数値グラフの平行線が実測値に一致した。
対数グラフは、波及電圧の比を波及電圧率とするα、横軸に接地電圧発生電極と波及電圧を受ける電圧極とのαに反比例する間隔［ｍ］、又は、同じく反比例する接地体の等価半径ｒの倍数［Ｎ］をとる事により、地表接地系、地中接地系や他接地系との相互関係を図示できるグラフとして最適になる。
【０００６】
請求項２は、図３の接地電圧値から（（Ｖ−Ｖ’）／Ｖ）×１００％＝α１、（Ｖ”／Ｖ）×１００％＝α２とすると理論的には１／α１＝１／α２＝１／α＝［Ｎ］となり、［Ｎ］は接地系Ａ、又は、Ｂの等価半径ｒ＝Ｌ／（ｌｎ（４Ｌ／ｄ）−１）の倍数として計算する方法。
【０００７】
請求項３は、図３の地表接地系ＢをＡの様にその接地電圧を電圧降下法、又は、異周波を電源とした接地抵抗測定装置を使用した測定値をＶ、次いで波及地点の深理設絶縁独立接地Ａ点をＢに置き換えＰ点にした測定値をＶ’、又、Ｐ１点をＢに移動した測定値をＶ”とし、α、α１、α２は数％であり、その要求が高精度なのでその対応に答える測定方法と計算法。
【０００８】
請求項４は、前項の接地電圧値から（（Ｖ−Ｖ’）／Ｖ）×１００％＝α１、（Ｖ”／Ｖ）×１００％＝α２とすると理論的には１／α１＝１／α２＝１／α＝［Ｎ］となる［Ｎ］は接地系Ｂの等価半径ｒの倍数として計算する方法。
【０００９】
請求項５は、深埋設絶縁独立接地Ａの接地抵抗ＲＤを四端子Ｃ１、Ｐ１、Ｐ２、Ｃ２を有する測定器を使用し測定値測定値をＲ、次いで、波及地点の地表接地系Ｄ点をＰにした測定値をＲ’、又、Ｐ１点をＢに移動した測定値をＲ”として、（（Ｒ−Ｒ’）／Ｒ）×１００％＝α１、（Ｒ”／Ｒ）×１００％＝α２の様に高精度に測定する方法。
【００１０】
請求項６は請求項５の接地抵抗値から、（（Ｒ−Ｒ’）／Ｒ）×１００％＝α１、（Ｒ”／Ｒ）×１００％＝α２とし接地系Ａの等価半径ｒの倍数［Ｎ］として計算する方法。
【００１１】
請求項７は、地表接地系Ｂ又は他の接地系Ａの接地抵抗を四端子を有する測定装置を使用した測定値をＶ、次いで波及地点の深埋設絶縁独立接地Ａ、又はＢ点をＰにした測定値をＶ’として測定し、Ｖ１／Ｖを夫々電流値をＩを１に表現し１で除すと接地抵抗Ｒになり、Ｒ１／Ｒ＝αと近似的に電圧波及率として計算される近似測定計算法。
【００１２】
請求項８は、請求項２、３、４、５の接地電圧値から、（Ｖ−Ｖ’）／α１＝Ｖ、Ｖ”／α２＝Ｖする接地抵抗Ｖを計算する方法。
【００１３】
請求項９は、請求項１のグラフから地表電圧が地中に波及する波及率を各地域地質変化での測定値をプロットし、そのグラフから最適値を求める法。
【００１４】
請求項１０は、請求項１のグラフからと、地表電圧が地中に波及する波及率を深さｔ求める計算式からｒ’＝Ｌ／（（（ｌｎ（４Ｌ／ｄ）−１）＋ｔ／ｌ×（ｌｎ（４ｔ（ｔ＋ｌ）／（２ｔ＋ｌ）２））＋（ｌｎ（２（ｔ＋ｌ）／（２ｔ＋ｌ）））／２）又は、と計算され、グラフと計算式により求める方法と計算法。
【００１５】
【発明の効果】
以上述べたような他に、通常本測定のような測定場所は、変電所や電気所のような誘導電圧（地電圧）のある場所が多い。
従って、その測定誤差を防止する目的で、発変電規程（ＪＥＡＣ５００１）に準拠するか、本測定に匹敵する異周波、即ち、商用周波数以外の４５、５５、６５ヘルツの電源を使用する等、接地抵抗測定装置（異周波計）に依り測定し測定誤差を排除した。
理論的には５，６項の測定でも同一値に測定される筈であるが、本測定の様に検証測定は５，６項のように２回測定することで精度向上と測定誤差を排除した。
本測定は、昭和５２（１９７６）年５月から現在迄、国内外の約２０００カ所で測定したデータを検証解析して今回の知見を得たものである。
【００１６】
【図面の簡単な説明】
【図１】本発明のグラフ作成のための測定回路図をを示す。
【図２】本発明のグラフ図を示す。
【図３】図３は単独の接地抵抗を測定する回路の簡略な電気的な回路図である。
【図４】図４は図３の接地抵抗を近接した接地系を電流通電極Ｃとした測定する回路の簡略な電気的な回路図である。
【図５】図５は図３に示す単独の接地抵抗から、他の接地系に波及する電圧を測定する回路の簡略な電気的な回路図である。
【符号の説明】
１  大地（Ｇ．Ｌ）                        ２  測定される接地極
３  測定用電流通電補助接地極              ４  測定用電源
５  電圧計                                Ａ  地中測定対象接地極
Ｂ  地表接地系                            Ｃ  測定用電流通電補助接地極
Ｐ  地電圧検出補助接地電極                ｔ  接地電極絶縁深さ
Ｌ  接地電極の理設長さ                    ａ  Ａ−Ｂ極の離隔間隔長さ
Ｐ１〜ＰＮ  等間隔に設けた電圧検出接地極  ｄ  接地電極の断面等価半径
ｒ  地表接地電極の等価半径                ｒ’地中接地電極の等価半径
α  電圧波及率（×１００で％）
【倍】接地極等価半径の倍数Ｘ軸
Ｈ  標準線１／Ｘ１／３                    Ｋ  αの理論値  Ｘ＝１／α
【図１】
2005024474.tif 000003
【図２】
2005024474.tif 000004
【図３】
2005024474.tif 000005
【図４】
2005024474.tif 000006
【図５】
2005024474.tif 000007